(57)【要約】【課題】バリアフリー構造であっても、外部との気密や水密を確保するとともに、内観の一体性も確保する。【解決手段】扉枠の下枠１ｂの屋内側に沿って収納溝２５を形成し、この収納溝の内側に、回転により上記収納溝の上方に突出可能なシール用部材２６を収納する一方、上記折畳み扉には、閉扉時にシール用部材を回転させて収納溝から突出させる作動棒２４を上下動可能に取り付け、シール用部材が収納溝から突出したときは折畳み扉の下部の屋内側面に連続させるとともに、折畳み扉を、屋外側の金属部ｐと屋内側の合成樹脂部ｑとを結合した構成とし、かつ回転により収納溝から突出したシール用部材の屋内側に露出する面を合成樹脂製カバー３８で被覆して折畳み扉の下框９ｂの合成樹脂部に当接させた。【選択図】図５
2006118196.tif 000002
【特許請求の範囲】
【請求項１】
扉枠の下枠上面を床面と略面一とし、上記扉枠の内側に折畳み扉を折畳み展開自在に収納した折畳み扉装置において、
上記下枠の屋内側に沿って収納溝を形成し、この収納溝の内側に、回転により上記収納溝の上方に突出可能なシール用部材を収納する一方、上記折畳み扉には、閉扉時に上記シール用部材を回転させて上記収納溝から突出させる作動棒を上下動可能に取り付け、シール用部材が収納溝から突出したときは上記折畳み扉の下部の屋内側面に連続させるとともに、
上記折畳み扉を、屋外側の金属部と屋内側の合成樹脂部とを結合した構成とし、かつ回転により上記収納溝から突出したシール用部材の屋内側に露出する面を合成樹脂製カバーで被覆して上記折畳み扉の下框の合成樹脂部に当接させた
ことを特徴とする折畳み扉装置。
【請求項２】
前記扉枠の上枠および左右の縦枠を、屋外側の金属部と屋内側の合成樹脂部とを結合した構成とした、請求項１記載の折畳み扉装置。
【請求項３】
前記収納溝の内側を合成樹脂で覆うとともに、この合成樹脂の一部を延出させて前記下枠の屋内側の床面に固定するためのアングル片とし、前記シール用部材の回転時には、前記カバーと上記アングル片と前記折畳み扉の合成樹脂部とを連続させた、請求項１又は請求項２に記載の折畳み扉装置。
【発明の詳細な説明】
【技術分野】
【０００１】
本発明は、建物躯体に設けた扉枠の内側に配置された複数の扉体を回動自在に連結した折畳み扉を配置し、上記扉体を折り畳んで開扉させることにより上記扉枠のほぼ全体を開口することができる折畳み扉装置に関するものである。
【背景技術】
【０００２】
一般に、折畳み扉は２つの扉体を継手框を介して回動自在に連結し、一方の自由端を建物開口部のガイドレールに沿って移動可能とすることによって構成される。扉体には把手が設けられ、上記把手を屋外又は屋内側に押し引きすることで折畳み扉を開閉することができる。閉扉時には全ての扉体が面一状に並び、開扉時には扉体が折畳み状態となる。
【０００３】
ところで、最近は老人や幼児などが建物の開口部を通って屋外のデッキやバルコニーに出、又はデッキやバルコニーから屋内に入るときに、段差や仕切りをなくし、移動しやすくするバリアフリー構造が採用される傾向が強い。このため、サッシの下枠の上面と屋内側の床面と屋外側のデッキ面やバルコニーの床面とを略面一に連続するように設計される例が多くなってきている。
【０００４】
ところが、このようなバリアフリー構造は、引き戸サッシの例がほとんどで、建物開口部に折畳み扉を設けた開閉構造にはバリアフリー構造はなかった。
【０００５】
その理由は、折畳み扉と扉枠の下枠との間の気密、水密が困難だからである。すなわち、扉枠の下枠の上面と屋内側の床面と屋外側のデッキ面やバルコニーの床面とを略面一に連続させる構造では、屋外側からの風雨が屋内に入り込むのを防止するのが難しいのである。
【０００６】
従来の折畳み扉の下枠は屋内側が高く、屋外側が低くなるように段差をつけた構造となっており、このように屋外側が低い構造では、開扉時に扉体が下枠から離れることになんの問題もない。また、閉扉時には扉枠の屋内側の面を下枠の段差面に当接させることにより、屋内外の気密や水密は容易に確保することができる。
【特許文献１】特開２００３−２７８４５公報
【発明の開示】
【発明が解決しようとする課題】
【０００７】
このように、バリアフリー構造では、扉枠の下枠の上面は略水平状態となるように形成されるから、扉体と下枠との間には隙間がなければ扉体を折り畳むことができない。ところが、その逆に、隙間があると、折畳み扉と下枠との間の気密、水密を保持することができない、という問題が発生するのである。
【０００８】
その改善策としては、開扉時には扉枠の下枠周辺の床面はフラットになるが、閉扉時には上記下枠と床面とをシールするシール用部材が突出するような構造が考えられる。
【０００９】
このようなシール用部材は、開扉時には人体や車椅子などの負荷に耐えられる強度が要求されるから、アルミニウムなどの金属から構成されなければならない。しかしながら、シール用部材は室内側に、しかも下枠に沿って長く配置されるものであるから、これが金属である場合には室内に金属特有の硬くて冷たい質感のシール用部材が露出することになり、内観が損なわれるという欠点がある。特に、扉枠や折畳み扉が室内側が合成樹脂や木粉を含む合成樹脂が現れるようにして、内観が柔らかく温かみのある質感を重視するサッシには適しないという問題がある。
本発明は上記問題点を解消し、バリアフリー構造であっても、外部との気密や水密を確保することができるとともに、内観の一体性も確保することができる折畳み扉装置を提供することをその課題とする。
【課題を解決するための手段】
【００１０】
前記課題を解決するため、本発明に係る折畳み扉装置は、扉枠の下枠上面を床面と略面一とし、上記扉枠の内側に折畳み扉を折畳み展開自在に収納した折畳み扉装置において、上記下枠の屋内側に沿って収納溝を形成し、この収納溝の内側に、回転により上記収納溝の上方に突出可能なシール用部材を収納する一方、上記折畳み扉には、閉扉時に上記シール用部材を回転させて上記収納溝から突出させる作動棒を上下動可能に取り付け、シール用部材が収納溝から突出したときは上記折畳み扉の下部の屋内側面に連続させるとともに、上記折畳み扉を、屋外側の金属部と屋内側の合成樹脂部とを結合した構成とし、かつ回転により上記収納溝から突出したシール用部材の屋内側に露出する面を合成樹脂製カバーで被覆して上記折畳み扉の下框の合成樹脂部に当接させたことを特徴とする。
【００１１】
なお、前記扉枠の上枠および左右の縦枠を、屋外側の金属部と屋内側の合成樹脂部とを結合した構成とするのが好ましい。
【００１２】
また、前記収納溝の内側を合成樹脂で覆うとともに、この合成樹脂の一部を延出させて前記下枠の屋内側の床面に固定するためのアングル片とし、前記シール用部材の回転時には、前記カバーと上記アングル片と前記折畳み扉の合成樹脂部とを連続させるのが望ましい。
【発明の効果】
【００１３】
請求項１に係る発明によれば、閉扉時には作動棒を作動させてシール用部材が回転して収納溝の上方に突出し、折畳み扉の下框の屋内側面に連続する。これにより、シール用部材が折畳み扉と屋内側の床面との間の隙間を塞ぐことになるので、バリアフリー構造であっても、外部との気密や水密を確保することができる。
【００１４】
また、このときシール用部材の合成樹脂が屋内側に露出する。折畳み扉の屋内側面は合成樹脂部によって構成されるので、屋内側にはシール用部材の合成樹脂製カバーと折畳み扉の合成樹脂部と扉枠の合成樹脂部とが現れることになる。したがって、柔らかく暖かい質感が得られ、内観の一体性を確保することができる。
【００１５】
請求項２に係る発明によれば、折畳み扉だけでなく扉枠の屋内側の合成樹脂部もシール用部材の合成樹脂製カバーとともに一体となるので、サッシとシール用部材とから自然なぬくもりを得ることができる。
【００１６】
請求項３に係る発明によれば、さらに、扉枠の下枠の合成樹脂製アングル片もシール用部材の合成樹脂製カバーとの一体感がさらに増す。
【発明を実施するための最良の形態】
【００１７】
図1は折畳み扉装置を含むサッシの内観図、図２は図１のＸ−Ｘ線上の断面図、図３は図１のＹ−Ｙ線上の断面図であり、建物躯体の扉枠１の内側には左右一対の折畳み扉２、３が配置されている。
【００１８】
扉枠１と折畳み扉２、３は、図２、図３等に示すように、屋外側の金属部ｐと屋内側の合成樹脂部ｑとからなる複合サッシであり、図４に示されるように、閉扉時には面状に展開し、また開扉時には屋外側に折り畳まれるように構成されている。
【００１９】
なお、扉枠１の下枠の屋内側には室内の床面が、屋外側にはデッキやバルコニーの面がそれぞれほぼ面一に連続しているものとする。
【００２０】
扉枠１は、上枠１ａ、下枠１ｂ及び縦枠１ｃを方形に枠組みしてなり、図示しない建物躯体の扉開口部の内周にネジによって固定されている。扉枠１と折畳み扉２、３の基本部分はそれぞれアルミニウムから成り、折畳み扉２、３の閉止時に屋内側に面する部位は合成樹脂から構成されている。なお、上枠１ａと下枠１ｂにはその長手方向に沿って折畳み扉用の案内レール５、６が形成されている。下枠１ｂの案内レール６は屋外側レール部６ａと屋内側レール部６ｂとから構成されている。
【００２１】
各折畳み扉２、３は、互いに離れた吊り元側の固定框７と互いに突合せ可能な戸先框８との間に２枚の扉体９を継手框１０を介して回動自在に連結してなるものである。そして、上記各框７、８、１０及び扉体９は、アルミニウムと合成樹脂とから構成されている。なお、固定框７と戸先框８の上部にはローラ金具１１が取り付けられ、ローラ金具１１を上記上枠１ａの扉案内レール５に転動自在に係合させることにより、固定框７と戸先框８のほか、これらの框の間に連結された２枚の扉体９と継手框１０が吊り下げられている。また、下部には、下枠１ｂの案内レール６の屋外側レール６ａに沿って回転する回転ローラ２０の取付金具２１が固定されている。
【００２２】
固定框７の屋外側には突縁を介して断面がＣ字形の軸状部１３が形成されている。固定框７の下部には落とし棒１４が設けられ、扉枠１の下枠１ｂに形成した受け部材１５に係合可能に構成されている。
【００２３】
戸先框８は固定框７と対称的形状をなすように形成され、屋外側には突縁を介して断面がＣ字形の軸状部１３が形成されている。また、戸先框８の屋内側には引き手１７が形成されている。
【００２４】
扉体９は上下框９ａ、９ｂと左右の縦框９ｃとにより方形に框組みされ、内側には二重ガラス２２が装着されている。扉体９の各框の屋内側に面する部位も合成樹脂部ｑによって被覆されている。
【００２５】
また、扉体９の固定框７と戸先框８に連結される側の縦框９ｃの長手方向には、上記固定框７及び戸先框８に形成されたＣ字形の軸状部１３を回動自在に係合する軸受け溝１８が形成されている。
【００２６】
次に、上記２つの扉体９を連結する継手框１０の框本体１０ａの屋内側には軸受け溝１９が形成されている。軸受け溝１９には、上記扉体９の継手框１０に連結される縦框９ｃの屋内側端部に形成された断面Ｃ字形の軸状部１３が回動自在に係合されている。
【００２７】
また、図３、図４および図５（ａ）（ｂ）に示されるように、継手框１０の内側にはロック棒２２が上下動可能に収納されている。このロック棒２２の下部は、図５（ａ）（ｂ）に示されるように、屋外側のロック部２３と屋内側の作動棒２４との二股に分岐されている。ロック部２３は下枠１ｂの屋外側レール部６ａの内部に挿入可能に配置され、作動棒２４は、屋内側レール部６ｂに挿入可能に配置されている。なお、継手框１０の屋内側には、ロック棒２２を室内側から上下動操作する操作手段（図示せず）が設けられている。
【００２８】
次に、上記下枠１ｂの案内レール６の屋内側に沿って収納溝２５が形成され、この収納溝２５の内側に、折畳み扉２、３に対応して２つのシール用部材２６が回転自在に収納されている。シール用部材２６の長さは略収納溝２５の長さと同じである。収納溝２５の内側も合成樹脂部ｑによって覆われている。そして、合成樹脂部ｑの一部は延出され、下枠１ｂの屋内側の床面に固定するためのアングル片１６が形成されている。なお、アングル片１６は設けられない場合もある。
【００２９】
収納溝２５は上記屋内側レール部６ｂの屋内側に隔壁２７を隔てて設けられている。隔壁２７の上端には円形の膨突部２８が形成されている。
【００３０】
これに対し、シール用部材２６は図６に示されるように、略扇形の断面形状を有する押出し型材によって構成され、略直角を成す２つの側面部２９、３０には気密材３１とクッション材３２の取付溝３３が形成され、基部にはＬ字形の突縁部３４が形成され、その屈曲部の内側には略半円形の凹部３５が形成されている。また、円弧状曲面部３７には合成樹脂製のカバー３８が取り付けられている。なお、該カバー３８の一側端には気密片３９が突出形成されている。
【００３１】
上記シール用部材２６は、突縁部３４の凹部３５を上記収納溝２５の隔壁２７上端の膨突部２８に係合し、この係合部を中心に回転自在になっている。シール用部材２６は、通常は収納溝２５内に収納され、この状態では突縁部３４の先端は屋内側レール部６ｂに略水平の状態で突出している。
【００３２】
シール用部材２６は折畳み扉の数に応じて配置される。つまり、シール用部材２６は展開時の長さに対応するように配置される。上記扉枠に２つの折畳み扉２、３が配置されているので、図３に示されるように２つのシール用部材２６が配置されている。なお、４０は各シール用部材２６の端部のキャップである。
【００３３】
上記構成において、折畳み扉２、３を折り畳んで開扉したときは、図５（ａ）に示されるように、シール用部材２６は収納溝２５の内部に納まっており、その上側の側面部２９の一部と気密材３１が屋内側に面している。折畳み扉９を展開して閉扉したときは、同図（ｂ）のように、各折畳み扉のロック棒２２を下げて屋外側のロック部２３を下枠の屋外側案内レール６ａの内部に挿入させる。これにより、折畳み扉２、３は折り畳むことができなくなる。同時に、作動棒２４も下がり、下枠１ｃの屋内側レール部６ｂに挿入する。このとき、作動棒２４がシール用部材２６の突縁部３４に係合し、突縁部３４はロック棒２２の荷重により、下方に押し下げられるので、シール用部材２６は回転して収納溝２５の上方に突出する。図７に示されるように、収納溝２５に収まっていたときは上方に面していた側面部２９が垂直になり、気密材３１を介して折畳み扉の下框９ｂの屋内側面に当接して連続する。
【００３４】
このように、閉扉時にはシール用部材２６が回転して収納溝２５の上方に突出して折畳み扉の下框９ｂの屋内側面に当接する。これにより、シール用部材２６が折畳み扉と屋内側の床面との間の隙間を塞ぐことになるので、バリアフリー構造であっても、外部との気密や水密を確保することができる。
【００３５】
また、このときシール用部材２６の円弧状曲面部の合成樹脂製カバー３８が屋内側に露出する。扉枠１も、折畳み扉も、屋内側面は上述のように合成樹脂部によって構成されるので、屋内側にはシール用部材２６の合成樹脂製カバー３８と折畳み扉２、３の合成樹脂部ｑと扉枠１の合成樹脂部ｑとが連続して現れることになる。下部では、シール用部材２６のカバー３８と上記アングル片１６と前記折畳み扉２、３の合成樹脂部ｑとが一体的に連続する。したがって、柔らかく暖かい質感が得られ、内観の一体性を確保することができる。
【図面の簡単な説明】
【００３６】
【図１】折畳み扉装置に係るサッシの内観図である。
【図２】図１のＸ−Ｘ線上の断面図である。
【図３】図１のＹ−Ｙ線上の断面図である。
【図４】継手框の周辺部分の拡大断面図である。
【図５】（ａ）（ｂ）はシール用部材の作動態様を示す断面図である。
【図６】シール用部材の拡大側面図である。
【図７】シール用部材が突出した状態の断面図である。
【符号の説明】
【００３７】
ｐ  金属部
ｑ  合成樹脂部
１ｂ  下枠
２、３  折畳み扉
２４  作動棒
２５  収納溝
２６  シール用部材
３８  合成樹脂製カバー
【図１】
2006118196.tif 000003
【図２】
2006118196.tif 000004
【図３】
2006118196.tif 000005
【図４】
2006118196.tif 000006
【図５】
2006118196.tif 000007
【図６】
2006118196.tif 000008
【図７】
2006118196.tif 000009